(57)【特許請求の範囲】
【請求項１】
床板に開口部が設けられ、断面「ひ」の字形の受け具が、そのショルダー部を床板開口周縁部に支承させるようにして開口部に設置されると共に、体重計が該受け具の底板部上に設置されて開口部内の所定の高さ位置に埋込み状態となるように備えられ、
開口部内の体重計の周囲には、上向きに開放された溝形形状をした液受け樋材が設置されると共に、
前記開口部を上からカバーする表面カバーパネルが備えられ、該表面カバーパネルは、その周縁部に下方に垂れ下がる周壁部を備え、該周壁部が、前記液受け樋材の外側の立ち上がり壁の内側に嵌合されて開口部に設けられると共に、体重計を受け具の底板部上に残したまま開口部から取り外すことができるようになされており、表面カバーパネル取付け状態において表面カバーパネルの前記周壁部と液受け樋材の外側立ち上がり壁との間を通じて下方に流れ込んだ液体が液受け樋材に受けられるようになされており、
前記床板は床下地板とその上の床仕上げ材とを備え、前記受け具のショルダー部は、床下地板と床仕上げ材との間に配置されて、床下地板の開口周縁部の上面に支承されており、前記液受け樋材は、開口部周面側の立ち上がり壁の上端部が屈曲されて床仕上げ材上面の床仕上げ面の上面側に張り出した見切り部を備えていることを特徴とする体重計の床埋込み構造。
【発明の詳細な説明】
【技術分野】
【０００１】
本発明は、体重計の床埋込み構造に関する。
【背景技術】
【０００２】
一般家庭などにおける体重測定は、床の上に体重計を置き、その上に乗ることによって行われている。しかしながら、体重計は、一定の高さ寸法を備えていることから、不使用時に床に置いておくと、つまずいたり、蹴飛ばしたりすることがある一方で、片づけるのは非常に厄介である。そこで、体重計を床の所定の位置に埋込み状態に設置することが考えられる。
【発明の開示】
【発明が解決しようとする課題】
【０００３】
しかしながら、体重計を床に埋込み状態にするには、体重計を、床板に明けた埋込み用の開口部内の所定の深さ位置に設置できなければならないが、その高さ位置に設置するための組込みを容易に行うことのできる構造は未だ提供されていない状況にある。
【０００４】
本発明は、上記のような問題点に鑑み、体重計を、床板に明けた埋込み用の開口部内の所定の深さ位置に組込み容易に設置することができる、体重計の床埋込み構造を提供することを課題とする。
【課題を解決するための手段】
【０００５】
上記の課題は、床板に開口部が設けられ、断面「ひ」の字形の受け具が、そのショルダー部を床板開口周縁部に支承させるようにして開口部に設置され、該受け具で体重計が所定の高さ位置に設置されていることを特徴とする体重計の床埋込み構造によって解決される。また、断面「ひ」の字形をしており、そのショルダー部を床板開口周縁部に支承させる部分とし、底部を体重計の受け部としていることを特徴とする体重計床埋込み用の受け具によって解決される。
【０００６】
該構造では、断面「ひ」の字形をした受け具が用いられているので、該受け具を、そのショルダー部を床板開口周縁部に支承させるようにして開口部に設置し、その上に体重計を設置すれば、体重計は所定の高さ位置に設置されて埋込み状態となり、体重計を、床板に明けた埋込み用の開口部内の所定の深さ位置に組込み容易に設置することができる。
【０００７】
上記の構造において、開口部内の体重計の周囲に上向きに開放された液受け樋材が設置され、該液受け樋材は、開口部周面側の立ち上がり壁の上端部が屈曲されて床仕上げ面の上面側に張り出した見切り部を備えているとよい。
【０００８】
この場合は、液受け樋材が備えられていることで、トイレや洗面脱衣室、キッチン等の水回りの床面に設置する場合において、床面にこぼれた液体が開口部の側に侵入して体重計を濡らしてしまうのを防ぐことができる。しかも、液受け樋材には、開口部周縁の見切りとなる見切り部が備えられているので、開口部周縁をきれいな仕上がりに見せることができる。そして、この見切り部は液受け樋材に一体に備えられているので、一方を設置すれば同時にもう一方も設置され、組込みを容易に行うことができる。なお、この液受け樋材は、上記の受け具とは別の部品として構成されていてもよいし、受け具と一体化させた部品として構成されていてもよい。
【０００９】
また、開口部をカバーする表面カバーパネルが備えられ、該カバーパネルは、周縁部に下方に垂れ下がる周壁部を備え、該周壁部が、前記液受け樋材の見切り部の備えられた立ち上がり壁の内側に嵌合されて開口部に設置されているとよい。この場合は、カバーパネル上にこぼれた液体が、カバーパネルの周壁部と、液受け樋材の外側立ち上がり壁との間を通じて下方に流れ込んでも、そこには液受け樋材が存在するので、そこに受け止められ、そのため、体重計を濡らしてしまうのを防ぐことができる。
【発明の効果】
【００１０】
本発明は、以上のとおりのものであるから、体重計を、床板に明けた埋込み用の開口部内の所定の深さ位置に組込み容易に設置することができる。
【発明を実施するための最良の形態】
【００１１】
次に、本発明の実施最良形態を図面に基づいて説明する。
【００１２】
図１及び図２に示す実施形態の構造において、１は床パネル、２は体重計、３は受け具、４は液受け樋材、５は表面カバーパネルである。
【００１３】
床パネル１は、床板６の下面側に根太７…を備えたものからなっていて、床板６は、床下地板６ａと床仕上げ材６ｂとを備え、床板６には、根太７…間の領域部分において、平面視方形状をした体重計埋込み用の開口部８が明けられている。
【００１４】
受け具３は、体重計２の設置される底板部３ａと、立ち上がり周壁部３ｂと、ショルダー部３ｃとを備えた、断面「ひ」の字形をした金物などからなっていて、ショルダー部３ｃを床板６の開口周縁部、具体的には床下地板６ａの開口周縁部の上面に支承させるように設置することで、底板部３ａが開口部８を通じて床面９の高さ位置よりも低い所定の位置に設置されるようになされている。なお、３ｄは体重計位置決め突部である。
【００１５】
液受け樋材４は、上向きの開放された溝形形状をしており、その一方の立ち上がり側壁部４ａの上端部は外方に屈曲され、その屈曲部４ｂを仕上げ床材６ｂの上面側に張り出す見切り部としている。
【００１６】
表面カバーパネル５は、体重計２等の設置された開口部８を上からカバーするもので、該カバーパネル５は、周縁部に下方に垂れ下がる周壁部５ａを備え、この周壁部５ａが、液受け樋材４の見切り部４ｂの備えられた立ち上がり壁４ａの内面側に嵌合されるようになされている。なお、１０は補強用ないしは安全用の床パネルである。
【００１７】
体重計２の床組込みは、上記の受け具３を用い、図２（イ）（ロ）に示すように、床仕上げ材６ｂを取り付ける前の床パネル１の開口部８に受け具３を設置し、受け具３のショルダー部３ｃをビス１１…で固定し、仕上げ床板６を床パネル１に取り付ける。しかる後、液受け樋材４を開口部８の周縁部に取り付けるのと相前後して、受け具３の底板部３ａ上に体重計２を設置する。これにより、体重計２は、所定の高さ位置に設置されて埋込み状態となる。そして、最後にカバーパネル５を取り付ければ、埋込み完了である。
【００１８】
なお、床パネル１への受け具３の取付けまでを工場などで行い、体重計２や、液受け樋材４、カバーパネル５の設置は、床パネル１を現場に設置した後に行うようにするとよい。
【００１９】
また、液受け樋材４の外側の立ち上がり壁４ａの外面や底壁４ｃの下面には止水用のパッキン１２，１２が介設されていると共に、カバーパネル５の周壁５ａの外面部と液受け樋材４の立ち上がり壁４ａとの間は止水テープ１３等で止水状態にされている。
【００２０】
更に、本実施形態では、表面カバーパネル５は、図２（ハ）に示すように、取外しできるように備えられていて、体重計のメンテナンスや、液受け樋材４に受けられた液の拭き取り等を行うことができるようになっている。
【００２１】
上記の埋込み構造によれば、断面「ひ」の字形をした受け具３を用いて体重計２を設置するようになされているので、該受け具３を、そのショルダー部３ｃを床板開口周縁部に支承させるようにして開口部８に取り付け、その上に体重計２を設置すれば、体重計２は所定の高さ位置に設置されて埋込み状態となり、体重計２を、床板６に明けた埋込み用の開口部８内の所定の深さ位置に組込み容易に設置することができる。
【００２２】
しかも、本実施形態では、液受け樋材４が備えられているので、トイレや洗面脱衣室、キッチン等の水回りの床面に設置する場合において、床面９にこぼれた液体が開口部８の側に侵入して体重計２を濡らしてしまうことはないし、また、カバーパネル５上にこぼれた液体も、カバーパネル５の周壁部５ａと、液受け樋材４の外側立ち上がり壁４ａとの間を通じて下方に流れ込んだとしても、そこには液受け樋材４が存在するので、体重計を濡らしてしまうことはない。
【００２３】
加えて、液受け樋材４には、開口部８の周縁の見切りとなる見切り部４ｂが備えられているので、液受け樋材４を設置するだけで、開口部８の周縁をきれいな仕上がりに見せることができる。
【００２４】
以上に、本発明の実施形態を示したが、本発明はこれに限られるものではなく、発明思想を逸脱しない範囲で各種の変更が可能である。例えば、本発明の構造は、体重計の設置を既設の床に対して行う場合に用いられてもよい。また、本発明構造における体重計は、体脂肪測定機能付き体重計であってもよい。
【図面の簡単な説明】
【００２５】
【図１】実施形態の埋込み構造を示すもので、図（イ）は断面正面図、図（ロ）は埋込み部の拡大断面正面図である。
【図２】図（イ）及び図（ロ）は取付け方法を順次に示す断面正面図、図（ハ）はカバーパネルを取り外した状態の断面正面図である。
【符号の説明】
【００２６】
２…体重計
３…受け具
３ａ…底板部（底部）
３ｃ…ショルダー部
４…液受け樋材
４ｂ…見切り部
５…表面カバーパネル
５ａ…周壁部
６…床板
６ａ…床下地板
８…開口部
【図１】
0004628692.tif 000002
【図２】
0004628692.tif 000003